(57)【要約】【課題】ゴルフにおいて、自在に動く弾性を持ったコイルボーンと若干の弾性を持ったプラスチック製の薄板とを重合して使用することにより、スイングの際不要な手首の動きを制限しつつ、自然な動きでスイングすることができるという手首保持具を提供する。【解決手段】手首Ｗに装着されるリストバンド部３と、中指Ｆ３の第一関節Ｍと第二関節Ｐの間に装着される指バンド部４と、リストバンド部３と指バンド部４とを連結する連結バンド部５とを一体成形し、リストバンド部３に帯状の面ファスナー３ａを取り付け、指バンド部４に帯状の面ファスナー４ａを取り付け、さらに、連結バンド部５の長手方向に沿って、コイルボーン６とプラスチック製の薄板７を重合して内挿する。リストバンド部３の上面には、面ファスナー３ａの他端が系合可能な面ファスナー３ｂを取り付け、指バンド４の上面には、面ファスナー４ａの他端が系合可能な面ファスナー４ｂを取り付ける。【選択図】        図１
0003104719.tif 000002
【実用新案登録請求の範囲】
【請求項１】
帯状の面ファスナーを有し、手首に着脱自在に装着されるリストバンド部と、
帯状の面ファスナーを有し、中指の第一関節と第二関節の間に着脱自在に装着される指バンド部と、
前記リストバンド部と前記指バンド部とを連結する連結バンド部とからなる手首保持具であって、
前記リストバンド部と、前記指バンド部と、前記連結バンド部とは、弾性を有する素材で一体成形され、
前記連結バンド部の長手方向に沿って、コイルボーンとプラスチック製の薄板とが重合して内挿されており、
前記手首保持具を手首に装着した際に、前記コイルボーンは、上端が前記中指の第二関節より下側に位置し、下端が手首の尺骨頭の中心より下側に位置するように内挿されていると共に、前記コイルボーンと重合される前記プラスチック製の薄板は、上端が前記中指の第一関節より下側に位置し、下端が前記尺骨頭の中心より上側に位置するように内挿されていることを特徴とする手首保持具。
【考案の詳細な説明】
【技術分野】
【０００１】
本考案は、ゴルフ用や医療用として用いられている手首又は手指の保持具に関し、特にゴルフのスイング（アドレスからフィニッシュまでの一連の動作）において、スイングの障害となる手首の不要な動作を抑制する手首保持具に関するものである。
【背景技術】
【０００２】
従来から、ゴルフのスイング中の手首の角度は、非常に重要であることが知られている。なぜなら、ゴルフにおいて、グリップはプレーヤーとクラブの接続部分であり、グリップの手首の角度と手の甲の向きとが直接クラブフェースの向きに関係してくるからである。ゴルフにおいて、手首の縦方向の動きは許されるが、横方向の不要な動きは禁物である。手首が横方向に動くとシャフトが横方向に倒れてクラブのフェース面の向きが変わってしまう。この際、手首の横方向への動きが一定の範囲内であれば問題ないが、一定の範囲を超えてしまうと（すなわち、手首の角度が一定範囲外になると）、左右のミスショットに繋がってしまう。ここで、縦方向とは、掌に略平行な方向であり、横方向とは掌に略垂直な方向である。
【０００３】
理想的なゴルフスイングは、世の東西を問わず論じられているが、例えば、「ゴルフ競技においては、ゴルフクラブを正確にスイングしてボ−ルを打つことが望ましく、この正確なスイングを行うには、正確なグリップから始まり、正確なアドレス、バックスイング（テ−クバック）、トップを経て、正確なインパクト、フォロ−スル−（フィニッシュ）に終了することに留意する必要があり、この中、最終的に重要となるものは、打球方向や飛距離を決定づける正確なインパクトの形成である。そのためには、ゴルフクラブを正確にグリップすることは勿論であるが、その後のアドレスからトップにかけての正しいバックスイングを行うことが、正確なスイングによる正確なインパクトを形成する、といった点で特に重要となり、そして、このアドレスからバックスイングを行うに際し、前記した手の甲等の良好傾斜状態を維持するように、すなわち、バックスイングの際、手の甲や、手首から肘にかけての上側部分が前記角度の傾斜を保持したままの状態になるようにする方法が、一般的に理想的なバックスイングを行う方法とされている」と論じられた従来技術がある（特許文献１）。
【０００４】
この従来技術に基づいて、バックスイングの際、手の甲が所定の角度を保持するための種々の手首固定用具が提案、又は、市販されている。上記特許文献１のゴルフのバックスイング矯正用補助具は、本願発明とは構成要件が異なるので開示しないが、他に、例えば、小手を支えることができる形状からなった小手支え帯１と、手の甲を支えることができる形状からなって、手首と近接した側の表面が、前記小手支え帯１の裏面と、隔てられて対向するように配置された手の甲支え帯３と、前記の小手支え帯１と手の甲支え帯３を、それぞれ小手と手の甲に密着、固定するための固定バンド２、４と、小手支え帯１と手の甲支え帯３を相互に結合し、手の甲支え帯３が、ゴルファーの親指と人差し指方向に回動することができるようにするために、各端部が、前記の小手支え帯１と手の甲支え帯３に、それぞれ回動することができるように結合された中心ピン５と、回動操作によって、手の甲支え帯３を小手支え帯１の表面側や裏面側に回動、固定するために、中間部は手の甲支え帯３にネジ結合され、一側の端部側は、小手支え帯１にスライディング可能に結合された曲げ角調節ピン６を含む、ゴルフ用の手首固定帯がある（特許文献２。）。尚、上記従来技術で表現されている「手の甲の角度」と、本願の「手首の角度」とは同義である。
【０００５】
また、従来の市販品としては、以下に示す４タイプの固定具が見られる。
（Ａ）手首の甲部分を、硬いプラスチック板で一定の角度に固定するタイプ。
（Ｂ）手首の甲部分を、硬いプラスチック板で一定の角度に固定し、手の甲中央部分から指先まで軟性の薄いプラスチック板を２本延設して指に宛がい、この軟性の薄いプラスチック板によってグリップ時の指の筋肉強化を行うタイプ。尚、硬いプラスチック板及び軟性の薄いプラスチック板はグローブに内挿されている。
（Ｃ）上記（Ａ）及び（Ｂ）は、ゴルフクラブをリードする側の手首（例えば、右利きの場合は左手首）を固定するものであるが、これに対し、反対側の手首（例えば、右利きの場合は右手首）の甲側を、硬性のプラスチックで一定の角度に固定するタイプ。
（Ｄ）両手（すなわち、左右の手首及び前腕）を中央部に扇状の角度計が付いた手錠のような連結具で連結し、予めアドレスで出来た両手（前腕）の角度を保持しながらスイングするタイプ。
【０００６】
【特許文献１】特許第２８５５２４１号公報
【特許文献２】特開平９−１１７５４０号公報
【考案の開示】
【考案が解決しようとする課題】
【０００７】
上記特許文献１は、アドレス時に形成された手首の角度をスイング動作中完全に固定してしまうという技術思想であり、上記特許文献２のゴルフ用の手首固定帯や上記４タイプの市販品は特許文献１の技術思想に基づいたものである。これに対し、近代ゴルフ理論では、以下に示す技術が論じられている。
【０００８】
ゴルフスイングにおいては、シンプルな体の動きが要求されるが、人体構造上、実際には微妙な動きが必要とされる。ここでは、指、手首、前腕の動きに言及し、他の体の動きについては言及しない。
【０００９】
まず、指でグリップする動きでは、第一関節（ＭＰ関節）、第二関節（ＰＩＰ関節）、第三関節（ＤＩＰ関節）は、掌側（母指又は小指方向から見て横方向）に曲がる。このため、前記市販品（Ｂ）では、指先まで宛がわれたプラスチック板が障害となり、安定したグリップは不可能である。また、前述の、アドレス、バックスイング（テークバック）、トップ、インパクト、フォロースルー（フィニッシュ）でも、手首の動きは微妙に変化する。実際には、グリップする握力の強さで手首の角度は変わるのである。例えば、手に何も持たず下方向に垂らした状態では、軽度背屈位（手首の角度が約１５度）であり、クラブを持って軽くグリップした状態では、中度背屈位（２０度〜２５度）となり、トップの位置では、３指（中指）、４指（薬指）を強くグリップするため手首角度は約１０度の略ストレートとなる。また、インパクト時は、３指、４指、５指（小指）をさらに強くグリップするため軽度屈曲位となり、フォロースルーの終盤からフィニッシュにかけては、若干の背屈位を取る。
【００１０】
また、前腕にも回内、回外という動きがある。手を正面に挙上し、指を伸ばした状態を中間位と言う。アドレスでグリップした時が軽度回内位であり、その状態から左肩を支点に親指（母指）方向に押し上げ、微妙に中間位から若干の回内位を取る。これがトップである。
【００１１】
トップからインパクト直前まで（すなわちダウンスイング）は中間位を保持し、ダウンスイング終盤から一気に回外させてインパクトを行う（すなわち、リリースである）。リリース後はすぐに左肘を曲げ、親指方向へ挙上させていく（肘を畳み込んでいく）。このように、フォローからまた体の回転を使い、フィニッシュを行う。フィニッシュでは手首は、また軽度の背屈位をとる。
【００１２】
以上のように、ゴルフスイングにおける自然な体の動きでは、手首の角度は固定されず微妙に変化するので、「ゴルフスイングの有害となる不要な動きは制限するが、自然な体の動きは制限しない」というのが、近代ゴルフの理論である。
【００１３】
しかしながら、上記特許文献２の技術では、平板状の小手支え帯を手の甲に装着して固定バンドを掌に巻回させるためにグリップが安定せず、また、前腕部も回旋しやすく非常に不安定である。しかも、ピンやネジを有するために装着時に違和感を生じるという問題がある。また、上記４タイプの市販品は、（Ａ）及び（Ｃ）のタイプは、硬性のプラスチックを手甲から手首まで使用しているため、装着の際、及び、使用時にも違和感がある。また（Ｂ）タイプは、板状のものを手首から指先まで宛がっているため、人体構造上、グリップ時にしっかりしたグリップが不可能である。（Ｄ）タイプは、両手を手錠状の連結具で連結しているため、非常にスイングしずらいという問題がある。
【００１４】
本考案は、以上のような従来技術の問題点に鑑みなされたもので、硬質の部材を使用せず、自在に動く弾性持ったコイルボーンと若干の弾性を持ったプラスチック製の薄板とを重合して使用することにより、ゴルフスイングにおいて、不要な手首の動きを制限すると共に、体に無理なく自然な動きでスイングすることができるという手首保持具を提供するものである。
【課題を解決するための手段】
【００１５】
このため本考案に係る手首保持具は、帯状の面ファスナーを有し、手首に着脱自在に装着されるリストバンド部と、帯状の面ファスナーを有し、中指の第一関節と第二関節の間に着脱自在に装着される指バンド部と、前記リストバンド部と前記指バンド部とを連結する連結バンド部とからなる手首保持具であって、前記リストバンド部と、前記指バンド部と、前記連結バンド部とは、弾性を有する素材で一体成形され、前記連結バンド部の長手方向に沿って、コイルボーンとプラスチック製の薄板とが重合して内挿されており、前記手首保持具を手首に装着した際に、前記コイルボーンは、上端が前記中指の第二関節より下側に位置し、下端が手首の尺骨頭の中心より下側に位置するように内挿されていると共に、前記コイルボーンと重合される前記プラスチック製の薄板は、上端が前記中指の第一関節より下側に位置し、下端が前記尺骨頭の中心より上側に位置するように内挿されていることを最も主要な特徴とする。尚、コイルボーンとは、コイルスプリングを平面に押しつぶした形状のバネであり、スパイラルボーンと称される場合もある。
【考案の効果】
【００１６】
本考案に係る手首保持具によれば、ゴルフにおいて、アドレスからインパクトを経てフィニッシュまでの一連のスイング動作中に、ミスショットに繋がる手首の不要な動きを制限しつつ（換言すれば、ミスショットに繋がらない範囲の手首の角度を保持しつつ）、体に無理なく自然な動きでスイングすることができるという優れた効果を有する。
【考案を実施するための最良の形態】
【００１７】
以下、本考案の実施例について図を参照して説明するが、本考案が本実施例に限定されないことは言うまでもない。図１は、本考案に係る手首保持具を手首に装着した状態を示す説明図であり、手の甲側から見た図である。図２は、図１の手首保持具の平面図である。図３は、本考案に係る手首保持具を装着した状態を示す説明図であり、手の親指側から見た図である。
【実施例】
【００１８】
図１乃至図３に示すように、本発明に係る手首保持具１は、左手首Ｗに着脱自在に装着されるリストバンド部３と、左手中指Ｆ３の第一関節Ｍと第二関節Ｐの間に着脱自在に装着される指バンド部４と、リストバンド部３と指バンド部４とを連結する連結バンド部５とで一体成形された本体部２と、リストバンド部３に縫着された帯状の面ファスナー３ａと、指バンド部４に縫着された帯状の面ファスナー４ａとからなり、さらに、連結バンド部５の長手方向に沿って、コイルボーン６とプラスチック製の薄板７が重合して内挿されている。さらに、リストバンド部３の上面には、面ファスナー３ａの他端が系合可能な面ファスナー３ｂが縫着されている。また、指バンド４の上面には、面ファスナー４ａの他端が系合可能な面ファスナー４ｂが取り付けられている。以下、本実施例では、左手首Ｗを手首Ｗ、左手中指Ｆ３を中指Ｆ３と記載する。尚、各部の逢着された縫い目は図示しない。
【００１９】
本体部２は、弾性及び多少の伸縮性を有するナイロンジャージで形成されており、周縁は補強材で縁取りされている。このナイロンジャージはウェットスーツなどにも用いられる素材で、肌への装着感が非常に良く、ゴルフにおいて、アドレス時やスイング中に違和感がない。また、本体部２は、弾性及び多少の伸縮性を有する他の素材、例えば、ポリエステルジャージでも代用可能である。
【００２０】
リストバンド部３は、手首Ｗの不要な動きを抑えるための所定の長さと所定の幅に形成される。本実施例では、図２に示すように、左右対称に形成されており、図１に示すように、手首Ｗに装着した際に、尺骨頭Ｕを被装できる大きさに形成されている。このリストバンド部３の上面左側には、図２に示すように、伸縮性を有する帯状の面ファスナー３ａの一端が縫着されている。この面ファスナー３ａは、裏面全面に系合部を有している。また、リストバンド部３の上面中央部から右側の範囲に、系合部が表側を向くように、面ファスナー３ｂが縫着されている。このように構成されているため、リストバンド部３を手首に被装後、面ファスナー３ａを適当な力で引っ張りながら手首の太さに応じて手首に巻回した後、面ファスナー３ａの適所を面ファスナー３ｂに系合させることにより、リストバンド部３が手首にしっかりと巻着され、手首の角度が保持される。
【００２１】
指バンド部４は、中指Ｆ３に巻回できる長さに形成され、中指Ｆ３の第一関節Ｍから第二関節Ｐまでの幅に形成されている。また、リストバンド部３と同様に、指バンド部４の上面左側には、伸縮性を有する帯状の面ファスナー４ａの一端が縫着されている。この面ファスナー４ａは、裏面全面に系合部を有している。また、指バンド部４の上面中央部には、系合部が表側を向くように、面ファスナー４ｂが縫着されている。このように構成されているため、指バンド部４を中指Ｆ３に巻回後、面ファスナー４ａを適当な力で引っ張りながら中指Ｆ３の太さに応じて中指Ｆ３に巻回した後、面ファスナー４ａの適所を面ファスナー４ｂに系合させることにより、指バンド部４が中指Ｆ３にしっかりと巻着される。面ファスナー４ａは、伸縮性を有するので、巻着時の締め付け具合を自由に調整することができる。
【００２２】
連結バンド部５は、指バンド部４とリストバンド部２とを一体的に連結して形成され、指バンド部５からリストバンド部３に向かって、一端幅狭に形成された後、幅広に形成されている。この連結バンド部５の長手方向（図１の上下方向）に沿って、コイルボーン６とプラスチック製の薄板７が重合して内挿されている。図１に示すように、コイルボーン６は、手首保持具１を手首Ｗに装着した際に、上端が中指Ｆ３の第二関節Ｐより下側に位置し、下端が尺骨頭Ｕの中心より下側に位置するように内挿されている。また、コイルボーン６と重合されるプラスチック製の薄板７は、上端が中指Ｆ３の第一関節Ｍより下側に位置し、下端が尺骨頭Ｕの中心より上側に位置するように内挿される。本実施例では、コイルボーン６の上端が中指Ｆ３の第二関節Ｐから約２ｃｍ下側に位置し、下端が尺骨頭Ｕの中心から約２ｃｍ下側に位置するように内挿されている。また、コイルボーン６と重合されるプラスチック製の薄板７は、上端が中指Ｆ３の第一関節Ｍから約１．５ｃｍ下側に位置し、下端が尺骨頭Ｕの中心から約１．５ｃｍ上側に位置するように内挿されている。コイルボーン６と薄板７の幅は、それぞれ、約１ｃｍである。このコイルボーン６と薄片７が重合されて本体部２に挿入された後、薄板７より長さの長いコイルボーン６の周縁部の本体部２の表面と裏面を、補強用の当て布８を介して逢着することにより、コイルボーン６と薄片７が、所定の位置に固定して内挿される。薄板７は、熱可塑性を有するプラスチック製であるので、加熱することにより、予め所定の固定された角度に形成することができる。
【００２３】
このように、本発明に係る手首保持具１を手首Ｗに装着した際には、中指Ｆ３の第二関節Ｐの下側から第一関節Ｍを経て手首Ｗの関節の尺骨頭Ｕ下側までの範囲に、コイルボーン６が内挿されているので、ゴルフクラブのグリップを把持する際には、中指Ｆ３は、手首の甲側にコイルボーン６によって多少付勢されてはいるものの、縦横自在に動かしてクラブを把持することができるので、アドレス、テークバック、インパクトの一連の動作中にしっかりしたグリップを保持することができる。また、可撓性及び若干の弾性を有するプラスチック製の薄板７が、中指Ｆ３の第一関節Ｍ下側から尺骨頭Ｕ下側までの範囲に内挿されていると共に、手首Ｗに被装されたリストバンド部３の上から伸縮性を有する帯状の面ファスナー３ａを巻着して固定することにより、手首Ｗの関節の角度を一定範囲内に安定に保持することができ、手首の不要な動きを制限することができる。また、本体部２は、弾性及び伸縮性を有するナイロンジャージなどの素材で形成されているため、装着時のフィット感に非常にすぐれており、スイング中の障害が全く無い。また、中指Ｆ３がコイルボーン６によって手首Ｗ甲側に多少付勢されているので、クラブのグリップを把持する際に、中指Ｆ３を付勢方向と反対側の掌側に曲げることにより、中指Ｆ３の筋力強化としての効果もある。このように、本願発明に係る手首保持具は、従来技術に比べ非常に優れた効果を有している。
【００２４】
さらに、図３に示すように、アドレスで左手２０度〜２５度の手首の角度（中度背屈位）を保つことで正常なアドレスを作ることができるので、不要に横方向に手首Ｗを使わないことにより、アドレスからトップを介してインパクトまで、クラブ面をスクエアーに保ち、正確なインパクトゾーンが得られるとともに、長いインパクトが得られる。また、コイルボーン６とプラスチック製の薄板７を所定の長さと幅で使用することにより、インパクトからフィニッシュにかけては、無理なく自然な手首の返しが得られる。本品を使用することにより、自分の力でクラブを操作することなくボディターンでボールを打つことができる。また、正確なグリップでクラブを握ることができるので、クラブフェース面を、ボールに対して、よりスクエアーにアジャストすることができる。
【００２５】
上記実施例では、左手首を例に取り説明したが、本発明に係る手首保持具は、右手首にも簡単に改良できる。右手首は、トップの際に甲側にある程度屈曲しなければならないので、上記実施例で示したリストバンド部２の幅を、右手首が所定の角度まで屈曲可能なように、狭くすればよい。
【００２６】
また、本発明に係る手首保持具は、上記したような手首の保持具としてだけでなく、指バンド部に取り付けられた面ファスナーをしっかりと指に巻着させれば、指の保持具としても使用できる。このような指の保持具、手首の保持具は、ゴルフのようなスポーツだけでなく、例えば、治療用やリハビリ用として指や手首を保持する場合など、医療用としても使用することができる。尚、指や手首を保持することができるので、矯正具としても使用可能であることはいうまでもない。
【図面の簡単な説明】
【００２７】
【図１】本考案に係る手首保持具を装着した状態を示す説明図である。
【図２】図１の手首保持具の平面図である。
【図３】本考案に係る手首保持具を装着した状態を示す説明図である。
【符号の説明】
【００２８】
１            手首保持具
２            本体部
３            リストバンド部
３ａ、３ｂ    面ファスナー
４            指バンド部
４ａ、４ｂ    面ファスナー
５            連結バンド部
６            コイルボーン
７            プラスチック製の薄板
８            補強用の当て布
Ｆ３          左手の中指
Ｍ            左手中指の第一関節
Ｐ            左手中指の第二関節
Ｕ            尺骨頭
Ｗ            左手の手首
【図１】
0003104719.tif 000003
【図２】
0003104719.tif 000004
【図３】
0003104719.tif 000005